(57)【特許請求の範囲】
【請求項１】
壁等の固定側に配管を固定すべく、配管を挟持する一対のバンド体と、両方のバンド体の間に介在され、且つ固定側に取り付けられる取り付け部材とを備え、両方のバンド体と取り付け部材とにボルトを挿通することにより、前記バンド体を取り付け部材に締結固定するようにした配管固定用具において、前記ボルトはカシメ加工により一方のバンド体に固定され、該前記取り付け部材には、前記ボルトのカシメ部が嵌入される開口が形成され、カシメ部は取り付け部材から突出しないように構成され、かつ、前記開口は長孔からなり、しかも、カシメ部は、取り付け部材と相対回転不可能となるように非円形に形成されていることを特徴とする配管固定用具。
【請求項２】
壁等の固定側に配管を固定すべく、配管を挟持する一対のバンド体と、両方のバンド体の間に介在され、且つ固定側に取り付けられる取り付け部材とを備え、両方のバンド体と取り付け部材とにボルトを挿通することにより、前記バンド体を取り付け部材に締結固定するようにした配管固定用具において、前記ボルトはカシメ加工により一方のバンド体に固定され、該一方のバンド体には、前記ボルトのカシメ部を収容するための凹部が形成されていることを特徴とする配管固定用具。
【発明の詳細な説明】
【０００１】
【発明の属する技術分野】
本発明は建造物等において、壁面やメタル内装間仕切り下地のメタルスタッド等の固定側に、水道管や排水管等の配管を固定する為の配管固定具に関する。
【０００２】
【従来の技術】
従来、例えば建造物に使用される水道管や排水管は、壁面等の任意の固定側に配管固定用具を介して固定されている。かかる配管固定用具は、図６に示す如く、配管５０を挟持する一対のバンド体５１a , ５１b と、両方のバンド体５１a , ５１b の間に介在され、且つ固定側５３に取り付けられる取り付け部材５５とを備えている。両方のバンド体５１a , ５１b と取り付け部材５５とにボルト５６を挿通し、そのボルト５６にナット５７を締結することにより、配管５０を固定するようにしたものである。
【０００３】
前記ボルトの取り付け手段としては、以下のものがある。即ち、図６（イ）に示すように、現場において、両方のバンド体５１a , ５１b と取り付け部材５５に、別体のボルト５６を挿通し、ナット５７で固定する（従来例１）。
【０００４】
また、図７（イ）及び（ロ）に示す如く、ボルト５６は、一方のバンド体５１a にカシメ加工により予め固定されており、そのボルト５６を取り付け部材５５及び他方のバンド体５１ｂに挿通し、ナット５７で固定する（従来例２）。
【０００５】
【発明が解決しようとする課題】
従来例１は、ボルト５６がバンド体５１a , ５１b や取り付け部材５５と別体であることから、配管５０の固定作業が面倒になる欠点がある。
【０００６】
一方、従来例２は、ボルト５６を、一方のバンド体５１a に予め固定していることから、前記従来例１に比し、配管５０の固定作業が容易になるが、ボルト５６のカシメ代（カシメ部）５８がバンド体５１a から突出するため、該カシメ部５８の頂面が取り付け部材５５に当接し、取り付け部材５５とバンド体５１a との間に間隙が生じてしまう。
【０００７】
このように、取り付け部材５５とバンド体５１ａとの間に間隙が生じると、バンド体５１a , ５１b の挟持部の形状は配管５０の外形に対応して設計（両方のバンド体５１a , ５１b が取り付け部材５５に密着した状態で配管を固定するように設計）されていることから、配管５０をがたくつことなく固定できない問題があった。
【０００８】
本発明は上記従来の課題を解決するためになされたものであり、配管の取り付け作業を容易且つ迅速に行えると共に、配管をがたくつことなく固定できる配管固定用具を提供することを課題とする。
【０００９】
【課題を解決するための手段】
即ち、上記課題を解決するために本発明が採った手段は、壁等の固定側に配管を固定すべく、配管を挟持する一対のバンド体と、両方のバンド体の間に介在され、且つ固定側に取り付けられる取り付け部材とを備え、両方のバンド体と取り付け部材とにボルトを挿通することにより、前記バンド体を取り付け部材に締結固定するようにした配管固定用具において、前記ボルトはカシメ加工により一方のバンド体に固定され、該前記取り付け部材には、前記ボルトのカシメ部が嵌入される開口が形成され、カシメ部は取り付け部材から突出しないように構成され、かつ、前記開口は長孔からなり、しかも、カシメ部は、取り付け部材と相対回転不可能となるように非円形に形成されていることにある。
【００１０】
また、壁等の固定側に配管を固定すべく、配管を挟持する一対のバンド体と、両方のバンド体の間に介在され、且つ固定側に取り付けられる取り付け部材とを備え、両方のバンド体と取り付け部材とにボルトを挿通することにより、前記バンド体を取り付け部材に締結固定するようにした配管固定用具において、前記ボルトはカシメ加工により一方のバンド体に固定され、該一方のバンド体には、前記ボルトのカシメ部を収容するための凹部が形成されていることにある。
【００１１】
【発明の実施の形態】
以下に、図面を参照しながら、本発明の一実施例を説明する。
図１〜図４は本発明の一実施の形態を示し、本発明の配管固定用具は、配管１を挟持する一対のバンド体３ａ，３ｂと、両方のバンド体３ａ，３ｂの間に介在され、且つ建造物等の固定側８に取り付けられる取り付け部材５と、両方のバンド体３ａ，３ｂと取り付け部材５とに挿通されるボルト７とを備えている。
【００１２】
前記取り付け部材５は、固定側８にボルト等の締結具（図示省略）で固定される固定側取り付け部９と、該固定側取り付け部９から略直角（固定側８が垂直面の場合は、水平方向となる。）に設けられた板状のバンド体取り付け部１０とからなる。尚、バンド体取り付け部１０には、バンド体取り付け部１０の長手方向（固定側８と直角方向）に開口としての長孔１１が形成されている。
【００１３】
前記各バンド本体３ａ，３ｂは、例えば金属製の板材をプレス加工等により形成したもので、例えば円形の配管１の外周面に沿うように湾曲した挟持部１２ａ，１２ｂと、挟持部１２ａ，１２ｂから屈曲された前記取り付け部材５のバンド体取り付け部１０を挟持するための板状の固定部１３ａ，１３ｂとからなる。尚、挟持部１２ａ，１２ｂの先端部同士は、バンド本体３ａ，３ｂ同士を開閉できるように係合されている。
【００１４】
前記ボルト７は、一方のバンド本体３ａの固定部１３ａに、カシメ加工により固定されている。即ち、一対のボルト７が間隔をおいて固定部１３ａの外側（バンド体取り付け部１０とは反対側）から挿通されると共に、固定部１３ａの内面側には、各ボルト７の一部分を変形させた膨出状で且つ非円形の係止部（カシメ部）１５が形成されている。従って、該カシメ部１５とボルト７の頭部７ａが、固定部１３ａを挟持し、ボルト７がバンド本体３ａに対して回転しないように固定されている。
【００１５】
該カシメ部１５は、図２（イ）及び（ロ）に示す如く断面形状が長円形に形成されており、長辺側は平面１５ａとなっている。そして、両方の平面１５ａ間の長さＬは、前記長孔１１の幅長Ｗ以下に設定されている。ここで、カシメ部１５は前記長孔１１に嵌入されることにより、相対回転が不可能となっている。また、図１に示す如く、カシメ部１５の高さＨは、前記バンド体取り付け部１０の板厚ｔ以下に設定されている。このように、カシメ部１５の高さＨを、前記バンド体取り付け部１０の板厚ｔ以下に設定することにより、カシメ部１５の頂面がバンド体取り付け部１０よりも突出することはない。
【００１６】
また、カシメ部１５を長孔１１に沿って移動させることにより、配管１と固定側８との間隔調整が出来るように構成されている。
【００１７】
そして、前記取り付け部材５のバンド体取り付け部１０及び他方のバンド本体３ｂの挿通孔２０にボルト７を挿通し、そのボルト７をナット１７でそれぞれ締結固定することにより、配管１を固定側８に固定することができる。このとき、カシメ部１５はバンド体取り付け部１０の長孔１１内に嵌入され、しかも、カシメ部１５の頂面は、バンド体取り付け部１０から突出しないため、一方のバンド本体３ａの固定部１３ａの内面は、バンド体取り付け部１０の一面に密着すると共に、他方のバンド本体３ｂの固定部１３ｂの内面は、バンド体取り付け部１０の他面に密着する（図１参照）。
【００１８】
尚、本実施の形態では、ボルト７を一対（複数）設けたが、該ボルト７は、カシメ部１５を長孔１１に嵌入することにより、バンド体取り付け部１０に対して回転不可能となるため、ボルト７は一本（単体）であっても、バンド体３ａ，３ｂがバンド体取り付け部１０に対して回転するのを防止でき、必ずしも２本使用する必要はない。
【００１９】
本発明は、上記の実施の形態に限定されるものではなく、例えば、図５（イ）及び（ロ）に示すものであっても良い。即ち、一方のバンド本体３ａの固定部１３ａには、前記ボルト７を中心とする凹部２１が設けられている。各凹部２１内に、ボルト７のカシメ部１５が収容されている。かかる実施の形態では、バンド体取り付け部１０の長孔１１内にカシメ部１５を嵌入する必要はないため、長孔１１の幅は狭くできる。
【００２０】
尚、前記バンド本体３ａ，３ｂは、別体のものを係合する以外に、金属製の板材を屈曲することにより形成しても良い。また、バンド本体及び取り付け部材の材質は、金属に限定されるものではなく、その他、合成樹脂であっても良い。
また、挟持部１２ａ，１２ｂの形状も、配管の外形に応じて任意の形状（例えば矩形状等）にすることも可能である。
【００２１】
【発明の効果】
以上のように、本発明は、ボルトがカシメ加工により一方のバンド体に固定され、該前記取り付け部材には、前記ボルトのカシメ部が嵌入される開口が形成され、カシメ部は取り付け部材から突出しないように構成されているので、両方のバンド本体を取り付け部材に密着させることが可能となり、バンド体に配管を強固で且つガタ付くことなく、安定して取り付けることができる。そして、前記開口は長孔からなり、しかも、カシメ部は、取り付け部材と相対回転不可能となるように非円形に形成されているので、ボルトがバンド体に対して回転しないように固定される。
【００２２】
しかも、ボルトがカシメ加工により一方のバンド体に固定されていることから、配管固定作業を容易且つ迅速に行える。
【図面の簡単な説明】
【図１】本発明の一実施の形態を示すバンド体を取り付け部材に取り付けた状態の断面図正面である。
【図２】（イ）はカシメ部を示す断面平面図、（ロ）はカシメ部が取り付け部材の長孔に嵌入した状態の一部断面平面図である。
【図３】バンド体を開放した状態の一部断面を含む正面図である。
【図４】バンド体で配管を固定した状態の一部断面を含む正面図である。
【図５】本発明の他の実施の形態を示し、（イ）はカシメ部がバンド体に形成された凹部に収容された状態の要部断面図、（ロ）は同断面平面図である。
【図６】従来例を示し、（イ）はバンド体で配管を固定する状態を示す分解正面図、（ロ）はバンド体で配管を固定する状態を示す平面図である。
【図７】同カシメ部が取り付け部材に当接した状態を示し、（イ）は一部断面を含む平面図、（ロ）は断面正面図である。
【符号の説明】
１…配管、８…固定側、３ａ，３ｂ…バンド体、５…取り付け部材、１１…長孔（開口）、１５…カシメ部、２１…凹部
【図１】
0003694244.tif 000002
【図２】
0003694244.tif 000003
【図３】
0003694244.tif 000004
【図４】
0003694244.tif 000005
【図５】
0003694244.tif 000006
【図６】
0003694244.tif 000007
【図７】
0003694244.tif 000008